(57)【要約】【課題】簡易な構成で、自動貸出機による２４時間無人貸出が可能で、手軽に利用し得る物品のデポジット式自動レンタルシステム及び自動レンタル方法を提供することを課題とする。【解決手段】サーバー２と、サーバー２と公衆網を介して送受信可能に接続される多数のデポジット式自動貸出機４によって構成される。自動貸出機は、個体認識手段と、個体情報を含む貸出情報及び返却要求をサーバーに送信する手段と、預かり金の受領・払戻手段とを備え、サーバーは、返却要求から返却された物品が期限内返却か否かを判定する期限内返却判定手段と、その判定結果に基づき預かり金の返却許可指令又は不許可指令を自動貸出機に送信する返却許可手段とを有し、返却許可指令を受信した場合は受領・払戻手段によって預かり金の払い戻しを実行し、返却不許可指令を受信した場合は、購入扱いとして預かり金の払い戻しを行わない。【選択図】図２
2019028600.tif 000002
【特許請求の範囲】
【請求項１】
管理センターのサーバーと、前記サーバーと公衆網を介して送受信可能に接続される多数のデポジット式自動貸出機とによって構成されるシステムにより、個体情報が記録されたＩＣチップ、バーコード、ＱＲコード（登録商標）その他の個体情報記録手段が付された物品をデポジット方式で自動レンタルするための方法であって、
前記自動貸出機に対して所定の預かり金を入金し、物品の種類を選定して貸出要求を行う貸出要求ステップと、
前記貸出要求を受けた前記自動貸出機において、選定されて貸し出す物品の前記個体情報を読み出し、当該個体情報と貸し出し日時を含む貸出情報が前記サーバーに送信されて記録されると共に、当該物品が前記自動貸出機の貸出口に供出される物品貸出ステップと、
前記物品がいずれかの前記自動貸出機の返却口に返却される物品返却ステップと、
前記物品の返却がなされた前記自動貸出機において、返却された前記物品の個体情報が読み取られ、当該個体情報を含む返却要求が前記サーバーに送信される返却要求ステップと、
前記サーバーにおいて、前記自動貸出機から送信された返却要求から、返却された前記物品が期限内に返却されたか否かが判定され、その判定結果に基づいて預かり金の返却許可指令又は不許可指令が前記自動貸出機に送信される期限内返却判定ステップと、
前記自動貸出機において、前記返却許可指令を受信した場合は預かり金の払い戻しが実行され、前記返却不許可指令を受信した場合は購入扱いとされ、前記預かり金の払い戻しが行われずに前記物品が戻される決済ステップと、
から成ることを特徴とする物品のデポジット式自動レンタル方法。
【請求項２】
管理センターのサーバーと、前記サーバーと公衆網を介して送受信可能に接続される多数のデポジット式自動貸出機とによって構成され、
前記自動貸出機は、個体情報が記録されたＩＣチップ、バーコード、ＱＲコード（登録商標）その他の個体情報記録手段が付された物品の貸出口及びその返却口と、前記物品の前記個体情報を読み取る個体認識手段と、前記物品の貸出及び返却の都度、前記個体情報を含む貸出情報及び返却要求を前記サーバーに送信する手段と、預かり金の受領・払戻手段とを備え、
前記サーバーは、前記自動貸出機から個体情報を含む貸出情報及び返却要求を受信する手段と、受信した前記返却要求から返却された前記物品が期限内に返却されたか否かを判定する期限内返却判定手段と、前記期限内返却判定手段による判定結果に基づき預かり金の返却許可指令又は不許可指令を前記自動貸出機に送信する返却許可手段とを有し、
前記自動貸出機は、前記返却許可指令を受信した場合は前記受領・払戻手段によって預かり金の払い戻しを実行し、前記返却不許可指令を受信した場合は、購入扱いとして前記預かり金の払い戻しを行わないことを特徴とする物品のデポジット式自動レンタルシステム。
【請求項３】
飲食物用自動販売機に組み込まれる、請求項２に記載の物品のデポジット式自動レンタルシステム。
【請求項４】
前記物品は携帯電話用の携帯充電器又はカサである、請求項２又は３に記載の物品のデポジット式自動レンタルシステム。
【発明の詳細な説明】
【技術分野】
【０００１】
本発明は、物品のデポジット式自動レンタルシステム及び自動レンタル方法に関するものであり、より詳細には、例えば、出先において携帯電話機の充電量が不足している場合に、手軽に携帯充電器を借り受けあるいは購入することを可能にする携帯電話機用携帯充電器その他の物品のデポジット式自動レンタルシステム及び自動レンタル方法に関するものである。
【背景技術】
【０００２】
従来、出先において携帯電話機の充電量が不足し、使用不可になりそうな場合に対応することを目的とする充電サービスシステムの提案がなされている（特開２０１０−２７３４１９号公報）。そのシステムは、携帯充電ユニットが配置される店舗端末が、入力手段と、入力手段から携帯端末の機種情報が入力された場合、機種情報を管理端末に送信し、携帯充電ユニットの指定情報を受信した場合、指定情報に基づき所定の携帯充電ユニットを貸出し可能にする制御手段を備え、管理端末が携帯充電ユニットごとに位置情報と機種情報とを関連付ける記憶手段と、店舗端末から機種情報を受信した場合、記憶手段を参照し、店舗端末の位置と一致すると共に機種情報と一致する携帯充電ユニットを選択し、指定情報として店舗端末に返信する制御手段を備えるという構成のものである。
【先行技術文献】
【特許文献】
【０００３】
【特許文献１】特開２０１０−２７３４１９号公報
【発明の概要】
【発明が解決しようとする課題】
【０００４】
従来提案されている充電サービスシステムは上記のような複雑な構成であって、携帯充電ユニットを貸し出す店舗も限定されるため、利用範囲が限られ、基本的に有人サービスとなるので夜間サービスは実質的に困難という問題がある。そこで本発明は、簡易な構成で、自動貸出機による２４時間無人貸出が可能で、手軽に利用し得る物品のデポジット式自動レンタルシステム及び自動レンタル方法を提供することを課題とする。
【課題を解決するための手段】
【０００５】
上記課題を解決するための請求項１に係る発明は、管理センターのサーバーと、前記サーバーと公衆網を介して送受信可能に接続される多数のデポジット式自動貸出機とによって構成されるシステムにより、個体情報が記録されたＩＣチップ、バーコード、ＱＲコード（登録商標）その他の個体情報記録手段が付された物品をデポジット方式で自動レンタルするための方法であって、
前記自動貸出機に対して所定の預かり金を入金し、物品の種類を選定して貸出要求を行う貸出要求ステップと、
前記貸出要求を受けた前記自動貸出機において、選定されて貸し出す物品の前記個体情報を読み出し、当該個体情報を含む貸出情報が前記サーバーに送信されて記録されると共に、当該物品が前記自動貸出機の貸出口に供出される物品貸出ステップと、
前記物品がいずれかの前記自動貸出機の返却口に返却される物品返却ステップと、
前記物品の返却がなされた前記自動貸出機において、返却された前記物品の個体情報が読み取られ、当該個体情報を含む返却要求が前記サーバーに送信される返却要求ステップと、
前記サーバーにおいて、前記自動貸出機から送信された返却要求から、返却された前記物品が期限内に返却されたか否かが判定され、その判定結果に基づいて預かり金の返却許可指令又は不許可指令が前記自動貸出機に送信される期限内返却判定ステップと、
前記自動貸出機において、前記返却許可指令を受信した場合は預かり金の払い戻しが実行され、前記返却不許可指令を受信した場合は購入扱いとされ、前記預かり金の払い戻しが行われずに前記物品が戻される決済ステップと、
から成ることを特徴とする物品のデポジット式自動レンタル方法である。
【０００６】
また、上記課題を解決するための請求項２に係る発明は、管理センターのサーバーと、前記サーバーと公衆網を介して送受信可能に接続される多数のデポジット式自動貸出機とによって構成され、
前記自動貸出機は、個体情報が記録されたＩＣチップ、バーコード、ＱＲコード（登録商標）その他の個体情報記録手段が付された物品の貸出口及びその返却口と、前記物品の前記個体情報を読み取る個体認識手段と、前記物品の貸出及び返却の都度、前記個体情報を含む貸出情報及び返却要求を前記サーバーに送信する手段と、預かり金の受領・払戻手段とを備え、
前記サーバーは、前記自動貸出機から個体情報を含む貸出情報及び返却要求を受信する手段と、受信した前記返却要求から返却された前記物品が期限内に返却されたか否かを判定する期限内返却判定手段と、前記期限内返却判定手段による判定結果に基づき預かり金の返却許可指令又は不許可指令を前記自動貸出機に送信する返却許可手段とを有し、
前記自動貸出機は、前記返却許可指令を受信した場合は前記受領・払戻手段によって預かり金の払い戻しを実行し、前記返却不許可指令を受信した場合は、購入扱いとして前記預かり金の払い戻しを行わないことを特徴とする物品のデポジット式自動レンタルシステムである。
【０００７】
一実施形態においては、本物品のデポジット式自動レンタルシステムは、飲食物用自動販売機に組み込まれる。また、一実施形態においては、前記物品は携帯電話用の携帯充電器又はカサである。
【発明の効果】
【０００８】
本発明に係る物品のデポジット式自動レンタルシステム及び方法は上記のとおりであって、簡易な構成で、自動貸出機による特定物品の２４時間無人貸出が可能で、例えば、携帯電話機の充電不足による使用不可の事態が切迫しているような緊急時に、自動貸出機を探して手軽に携帯充電器を入手してその場をしのぐことができ、使用期限内に返却することにより、手数料の多くが返金され、返却はどの自動貸出機でも可能という効果がある。また、各地に無数存在する飲食物用自動販売機に組み込むことにより、設備コストを抑えることができると共に、設置場所の探索が不要となるので、普及が容易という効果がある。
【図面の簡単な説明】
【０００９】
【図１】本発明に係る物品のデポジット式自動レンタルシステムの概略構成図である。
【図２】本発明に係る物品のデポジット式自動レンタルシステムの概略構成図である。
【図３】本発明に係る物品のデポジット式自動レンタル方法の処理の流れを示すフロー図である。
【発明を実施するための形態】
【００１０】
本発明を実施するための形態につき、添付図面を参照しつつ説明する。本発明に係る物品のデポジット式自動レンタル方法は、管理センターのサーバーと、前記サーバーと公衆網（インターネット）を介して送受信可能に接続される多数のデポジット式自動貸出機とによって構成されるシステムにおいて、物品のデポジット式自動レンタルを実施するための方法である。
【００１１】
本発明に係る物品のデポジット式自動レンタル方法は、以下のステップから成る。
−自動貸出機に対して所定の預かり金を入金し、物品の種類を選定して貸出要求を行う貸出要求ステップ（Ｓ１１）
−貸出要求を受けた自動貸出機において、指定されて貸し出す物品の個体情報を読み出す個体情報読み取りステップ（Ｓ１２）
−個体情報読み取りステップを経た物品が自動貸出機の貸出口に供出される物品貸出ステップ（Ｓ１３）
−物品がいずれかの自動貸出機の返却口に返却される物品返却ステップ（Ｓ１４）
−物品の返却がなされた自動貸出機において、返却された物品の個体情報が読み取られ、当該個体情報を含む返却要求がサーバーに送信される返却要求送信ステップ（Ｓ１５）
−サーバーにおいて、自動貸出機から送信された返却要求につき、返却された物品が期限内返却か否かが判定され、その判定結果に基づいて預かり金の返却許可指令又は不許可指令が自動貸出機に送信される期限内返却判定ステップ（Ｓ１６）
−自動貸出機において、預かり金の返却許可指令を受信した場合は預かり金の払い戻しが実行され、返却不許可指令を受信した場合は購入扱いとされ、預かり金の払い戻しが行われずに物品が戻される決済ステップ（Ｓ１７）
【００１２】
本発明に係る物品のデポジット式自動レンタルシステムは、上記自動レンタル方法を実施するためのシステムであって、該システムは、図１に示されるように、管理センター１のサーバー２と、サーバー２と公衆回線３を介して送受信可能に接続される多数のデポジット式自動貸出機４とによって構成される。
【００１３】
図２に示されるように、各自動貸出機４は、個体情報が記録されたＩＣチップ、バーコード、ＱＲコード（登録商標）その他の個体情報記録手段が付された物品の貸出口５及びその返却口６と、物品に付された個体識別のための個体情報を認識する個体認識手段７と、物品の貸出及び返却の都度、個体認識手段７による個体情報を含む貸出情報及び返却情報をサーバー２に送信する送受信手段８と、預かり金の受領・払戻手段９とを備える。なお、貸出口５と返却口６は兼用にすることができる（その場合、貸出時には貸出口５となり、返却時には返却口６となる）。
【００１４】
サーバー２は、自動貸出機４から個体情報を含む貸出情報、並びに、個体情報を含む返却要求を受信する送受信手段１１と、受信した返却情報から返却された物品が期限内返却か否かを判定する期限内返却判定手段１２と、期限内返却判定手段１２による判定結果に基づき、預かり金の返却許可指令又は不許可指令を自動貸出機４に送信する返却許可手段１３とを有する。そして、自動貸出機４は、返却許可手段１３から返却許可指令を受信した場合は、受領・払戻手段９によって預かり金の払い戻しを実行し、返却不許可指令を受信した場合は、購入扱いとして預かり金の払い戻しを行わない。
【００１５】
以下に、上記本発明に係る物品のデポジット式自動レンタル方法の詳細につき、図１〜３を参照しつつ、ステップごとに説明する。なお、以下の説明における物品は、携帯電話機の携帯充電器である。
【００１６】
貸出要求ステップ（Ｓ１１）
外出先において携帯電話機の充電量が不足した場合、充電の必要性が生ずる。このステップは、このような状況に陥った携帯電話機利用者が、本発明に係る自動貸出機４を探し出し、対応する携帯充電器の種類を選定して所定の預かり金を入金し、当該携帯充電器の貸出要求を行うステップである。
【００１７】
個体情報読み取りステップ（Ｓ１２）
このステップは、上記貸出要求を受けた自動貸出機４において、指定されて貸し出す携帯充電器の個体情報を読み出すステップである。即ち、自動貸出機４の個体認識手段（リーダー）７が、各携帯充電器に個別に付されている個体情報記録手段に記録されている個体情報を読み出す。
【００１８】
物品貸出ステップ（Ｓ１３）
このステップは、個体認識手段７により貸し出す携帯充電器の個体情報を読み取った後、当該携帯充電器を貸出口５に供出するステップである。この携帯充電器の貸出口５への供出に際し、個体認識手段７により読み取られた携帯充電器の個体情報と貸出日時を含む貸出情報が、自動貸出機４の送受信手段８を介してサーバー２に送信され、サーバー２に記録される。
【００１９】
物品返却ステップ（Ｓ１４）
このステップは、貸し出された携帯充電器がいずれかの自動貸出機４の返却口６に返却されるステップである。この返却を受ける自動貸出機４は、その携帯充電器を貸し出した自動貸出機４である必要はなく、どの自動貸出機４であってもよい。
【００２０】
返却要求送信ステップ（Ｓ１５）
このステップは、使用済みの携帯充電器の返却がなされた自動貸出機４において、返却された携帯充電器の個体情報が読み取られ、当該個体情報と返却日時を含む返却要求がサーバー２に送信されるステップである。携帯充電器が返却口５へ返却されると、個体認識手段７によってその個体情報が読み取られ、その個体情報と返却日時を含む返却要求が、自動貸出機４の送受信手段８を介してサーバー２に送信され、サーバー２に記録される。
【００２１】
期限内返却判定ステップ（Ｓ１６）
このステップにおいては、自動貸出機４から送信された返却要求につき、サーバー２の期限判定手段１２により、返却された携帯電話機の貸出情報を基準にして、その携帯充電器が期限内返却か否かの判定が行われる。そして、その判定結果を受けた返却許可手段１３が、その判定結果に基づき、預かり金の返却許可指令又は不許可指令を自動貸出機４に送信する。
【００２２】
決済ステップ（Ｓ１７）
このステップは、自動貸出機４において、預かり金の返却許可指令を受信した場合は、受領・払戻手段９によって預かり金の払い戻しを実行し、返却不許可指令を受信した場合は購入扱いとし、払い戻しを行わずに返却された携帯充電器をそのまま返却口６に戻すステップである。返却口６に戻された携帯充電器は、その返却者がそのまま持ち帰ることができる。
【００２３】
以上の説明は、物品が携帯電話機の携帯充電器の場合であるが、物品はこれに限られる訳ではなく、例えば、折畳みカサその他、出先で急に必要となる可能性のあるものが主な対象となる。
【００２４】
また、本発明に係るシステムにおける自動貸出機４は、必ずしも、飲食物の自動販売機のような独立した構成とする必要はなく、飲食物の自動販売機を改造して組み込むことができるものである。即ち、自動販売機の正面に貸出口５と返却口６、並びに、デポジット金受入部（現金投入部及び電子マネー受付部）とを設け、内部に回路基板を配置し、また、物品収納スペースを確保すれば足りるのである。このような構成とした場合は、設備機器（自動貸出機）の製造コストを削減でき、また、その設置箇所を新たに探し求める必要がなくなる。
【００２５】
携帯電話機のＧＰＳ機能を利用して、自動貸出機４の存在位置を探索可能にすることができ、携帯電話機にそのようなアプリケーションをインストールしておけば、いざというときの時間の節約になる。
【００２６】
本発明に係る物品のデポジット式自動レンタルシステム及び方法は上記のとおりであって、例えば、携帯電話機の充電不足による使用不可状態が切迫しているような緊急時に、自動貸出機を探して手軽に携帯充電器を入手してその場をしのぐことができ、使用期限内に返却することにより、手数料の多くが返金されるので利用者にとって大きなメリットとなり、しかも、返却はどの自動貸出機でも可能という利便性に富むもので、その産業上の利用可能性は大である。
【符号の説明】
【００２７】
１        管理センター
２        サーバー
３        公衆網（インターネット）
４        自動貸出機
５        貸出口
６        返却口
７        個体情報読み取り手段
８        送受信手段
９        受領・払戻手段
１１      送受信手段
１２      期限内返却判定手段
１３      返却許可手段      
【図１】
2019028600.tif 000003
【図２】
2019028600.tif 000004
【図３】
2019028600.tif 000005